(57)【要約】【課題】液体を気化させる量を制御することができる気化装置であって、気化温度の異なる複数の物質を含む液体を用いた場合であっても、経時的に均一に保持された組成で気化させることができる気化装置を提供する。【解決手段】液体を収容する容器本体と、容器本体内を実質的に液密に保持するように容器本体の開口に設けられた液体吸収部材とを有する容器を備え、液体吸収部材を介した毛細管現象により容器内から容器外に抽出された液体を、塗布用部材の表面に塗布し気化させて容器外に放出する、気化装置。【選択図】図１
2007236542.tif 000002
【特許請求の範囲】
【請求項１】
液体を収容する容器本体と、容器本体内を実質的に液密に保持するように容器本体の開口に設けられた液体吸収部材とを有する容器を備え、
液体吸収部材を介した毛細管現象により容器内から容器外に抽出された液体を、塗布用部材の表面に塗布し気化させて容器外に放出する、気化装置。
【請求項２】
塗布用部材が円柱状物であり、液体吸収部材により抽出された液体を円柱状物の外周面に円周方向に塗布することで気化させることを特徴とする、請求項１に記載の気化装置。
【請求項３】
円柱状物の軸線方向に関する液体吸収部材の位置が、円柱状物の外周面の円周方向に関する液体吸収部材の位置の変位に応じて変位可能である、請求項２に記載の気化装置。
【請求項４】
液体吸収部材が、円柱状物が１回転するごとに、円柱状物の軸線方向に関する位置を変位させるように構成されたものである、請求項３に記載の気化装置。
【請求項５】
塗布用部材が円盤状物であり、液体吸収部材により抽出された液体を円盤状物の主面に円周方向に塗布することで気化させることを特徴とする、請求項１に記載の気化装置。
【請求項６】
円盤状物における径方向に関する液体吸収部材の位置が、円盤状物の主面の円周方向に関する液体吸収部材の位置の変位に応じて変位可能である、請求項５に記載の気化装置。
【請求項７】
液体吸収部材が、円盤状物が１回転するごとに、円盤状物の径方向に関する位置を変位させるように構成されたものである、請求項６に記載の気化装置。
【請求項８】
互いに異なる液体を収容した複数本の容器を備えることを特徴とする、請求項１〜７のいずれかに記載の気化装置。
【請求項９】
気化させる液体が、芳香剤溶液、殺虫剤を含む薬剤溶液または水である、請求項１〜８のいずれかに記載の気化装置。
【発明の詳細な説明】
【技術分野】
【０００１】
本発明は、芳香剤溶液、殺虫剤を含む薬剤溶液、加湿器用の水などの液体を気化させるための装置に関する。
【背景技術】
【０００２】
従来より、芳香剤溶液の芳香成分を徐々に放散させる芳香剤発生装置が種々知られている。図８には、従来の典型的な一例の芳香剤発生装置３１を模式的に示す図である。図８には、芳香剤溶液３３を収容する容器３２の開口に、フェルトなどの液体吸収性の芯材（液体吸収部材３４）が挿入され、この液体吸収部材３４により容器３２中は実質的に液密となるように保持された構造で実現された例の従来の芳香剤発生装置３１が示されている。このような芳香剤発生装置３１において、容器３２内に収容された芳香剤溶液３３は、液体吸収部材３４を介した毛細管現象により吸い上げられる。従来の芳香剤発生装置では、このようにして吸い上げた芳香剤溶液を液体吸収部材の表面で自然気化させたり、あるいは、電気加熱などにより加熱して気化させることで、室内などに芳香剤を放出させていた。また、芳香剤以外に、殺虫剤を発生する方式としても、図８に示した構造の装置を採用したものが従来、知られていた。
【特許文献１】特開平４−３１７７５７号公報
【特許文献２】特開平１０−２４８９１３号公報
【特許文献３】特開２００２−２６７６２９号公報
【発明の開示】
【発明が解決しようとする課題】
【０００３】
しかし、上述した構造の芳香剤発生装置または殺虫剤発生装置では、芳香剤または殺虫剤の放出量は液体吸収部材の露出表面積によって決まり、放出量を制御することができないという欠点があった。このため、たとえば芳香剤の場合、少しの量の芳香剤でも強烈に芳香を感じる人にとっては苦痛を感じても芳香の量を制御することができないという不具合がある。
【０００４】
また芳香剤は、揮発性の異なる複数種の芳香成分をブレンドして用いることが多い。しかし、この場合、気化温度の低い芳香成分から放出され、気化温度の高い芳香成分の残量が経時的に多くなってしまい、芳香の質が経時的に変化してしまうという不具合もある。
【０００５】
本発明は、上記課題を解決するためになされたものであり、その目的とするところは、液体を気化させる気化装置であって、気化による放出量を制御することができ、気化温度の異なる複数の物質を含む液体を用いた場合であっても、経時的に均一に保持された組成で気化させることができる気化装置を提供することである。
【課題を解決するための手段】
【０００６】
本発明の気化装置は、液体を収容する容器本体と、容器本体内を実質的に液密に保持するように容器本体の開口に設けられた液体吸収部材とを有する容器を備え、液体吸収部材を介した毛細管現象により容器内から容器外に抽出された液体を、塗布用部材の表面に塗布し気化させて容器外に放出することを特徴とする。
【０００７】
本発明の気化装置において、（１）塗布用部材は円柱状物であり、液体吸収部材により抽出された液体を円柱状物の外周面に円周方向に塗布することで気化させる構成、または、（２）塗布用部材は円盤状物であり、液体吸収部材により抽出された液体を円盤状物の主面に円周方向に塗布することで気化させる構成が、好ましい。
【０００８】
塗布用部材が円柱状物である場合、円柱状物の軸線方向に関する液体吸収部材の位置が、円柱状物の外周面の円周方向に関する液体吸収部材の位置の変位に応じて変位可能であることが好ましい。さらに、液体吸収部材が、円柱状物が１回転するごとに、円柱状物の軸線方向に関する位置を変位させるように構成されたものであることがより好ましい。
【０００９】
塗布用部材が円盤状物である場合、円盤状物における径方向に関する液体吸収部材の位置が、円盤状物の主面の円周方向に関する液体吸収部材の位置の変位に応じて変位可能であることが好ましい。さらに、液体吸収部材が、円盤状物が１回転するごとに、円盤状物の径方向に関する位置を変位させるように構成されたものであることがより好ましい。
【００１０】
本発明の気化装置は、互いに異なる液体を収容した複数本の容器を備えることが好ましい。
【００１１】
また本発明の気化装置において気化させる液体は、芳香剤溶液、殺虫剤を含む薬剤溶液または水であることが好ましい。
【発明の効果】
【００１２】
本発明の気化装置によれば、液体吸収部材を介した毛細管現象により容器内から容器外に抽出された液体を塗布用部材の表面に塗布し気化させることによって容器外に放出する構成であるため、塗布させる面積を変えることにより、液体を気化させて放出する量を容易に制御することができる。また、本発明の気化装置は、毛細管現象により容器内から容器外に抽出した液体を塗布面に塗布後に気化させるため、容器内から液体吸収性の芯材を介して直接に気化させる構成とは異なり、液体が気化温度の異なる複数種の成分を含有する場合であっても、経時的に気化させる成分の質が変わりにくい。
【発明を実施するための最良の形態】
【００１３】
図１は、本発明の好ましい第１の実施態様の気化装置１を模式的に示す正面図であり、図２はその側面図である。本発明の気化装置１は、液体を収容する容器本体３と、容器本体３内を実質的に液密に保持するように容器本体３の開口に設けられた液体吸収部材４とを有する容器２を備える。
【００１４】
容器２における容器本体３は、液体を収容し得る内部空間を有し、少なくとも１つの開口を有するものであれば、特に制限なく従来公知の適宜のものを用いることができる。
【００１５】
容器２における液体吸収部材４は、液体を毛細管現象により吸引し得る部材（芯材）であって、かつ、容器本体３の開口に設けられた状態で、容器本体３の内部空間を実質的に液密に保持し得る。ここで、「実質的に液密」であるとは、液体が液体吸収部材による毛細管現象で吸引されて容器本体外に放出される以外は、容器本体内に収容された液体が液密に保持されている状態を指す。
【００１６】
本発明に用いられる液体吸収部材４としては、たとえば、フェルト、綿芯、ガラス芯などの材料で形成された部材が用いられる。液体吸収部材４の形状および大きさは、容器本体３の開口に設けることができ、当該開口に設けられた状態で、容器本体３の内部空間を実質的に液密に保持し得る形状および大きさであれば特に制限されるものではない。
【００１７】
本発明の気化装置１を用いて気化させる液体のうち、たとえば芳香剤溶液などの場合、空気に触れると酸化してしまい成分が変化してしまうものも含まれる。このような酸化を防止する観点から、液体は、容器２外に抽出された状態で、塗布に供する以外は可能な限り空気に接触させないことが望ましい。このため、液体吸収部材４は、容器本体３の開口に設けた状態で、容器本体３外に露出する表面積をできるだけ減らし得るように構成されることが好ましい。具体的には、液体吸収部材４は、塗布に供するため容器本体の開口から一部が突出するように設けられるが、その突出量は１ｍｍ以下とすることが好ましく、０．５〜１ｍｍの範囲内とすることが好ましい。
【００１８】
本発明の気化装置では、容器本体３内の液体を液体吸収部材による毛細管現象を介して容器外に抽出する構成であるが、温度の上昇などに起因して容器本体３内の圧力が上がると、液体が容器外に過剰に抽出されてしまう虞がある。このような液体の過剰な抽出を防止する観点からは、本発明の気化装置１は、上述のように容器本体３の内部空間を実質的に液密に保持しつつ、容器本体３の内部空間と外部空間とが通気し得るように構成されることが好ましい。本発明の気化装置では、液体吸収性の材料で形成された可撓性の平板状物をＵ字状に変形させて容器本体の開口に挿入することで液体吸収部材４を設けることで、容器本体３の内部空間を実質的に液密に保持しつつ、容器本体３の内部空間と外部空間とで通気させ得る構成を実現でき、好ましい。
【００１９】
本発明の気化装置１は、上述した液体吸収部材４を介した毛細管現象により容器２内から容器２外に抽出された液体を塗布するための塗布用部材５を備える。本発明の気化装置１は、この塗布用部材５に液体吸収部材４を接触させて液体を塗布し、塗布面で気化させることで、液体を容器２外に放出する。
【００２０】
本発明の気化装置１によれば、上述したように液体吸収部材４を介した毛細管現象により容器２内から容器２外に抽出された液体を塗布用部材５の表面に塗布し気化させて放出する構成であるため、塗布させる面積を変えることにより、液体を気化させて放出する量を容易に制御することができる。
【００２１】
また、本発明の気化装置１は、毛細管現象により容器２内から容器２外に抽出した液体を塗布面に塗布後に気化させるため、容器内から液体吸収性の芯材を介して直接に気化させる構成とは異なり、液体が気化温度の異なる複数種の成分を含有する場合であっても、経時的に気化させる成分の質が変わりにくいという利点もある。
【００２２】
本発明における塗布用部材５は、上記液体を塗布するための塗布面を少なくとも有する部材であれば、その形状および大きさについて特に制限されるものではない。図１には、好ましい一例として、円柱状物で塗布用部材５を実現した場合を示している。
【００２３】
塗布用部材５が円柱状物である場合、円柱状物の外周面を塗布面として用い、この外周面に円周方向に液体を塗布し、気化させるように構成する。すなわち、図１に示すように、円柱状物である塗布用部材５の中心軸線に沿って設けられた回転軸６とモータ７とを備え、モータ７の駆動により塗布用部材５を回転軸６を中心に回転し得るように構成する。このように構成にて、液体吸収部材４を介した毛細管現象により抽出された液体を、円柱状物の塗布用部材５の外周面に、円周方向に沿って順次塗布させ、気化させることができる。図１に示す例では、円周方向の一例として反時計周りの方向Ｒを示しているが、円周方向が当該方向Ｒとは反対の時計周りの方向であっても勿論よい。
【００２４】
図１および図２に示すように、塗布用部材５を円柱状物で実現し、この円柱状物の外周面を塗布面として用いて円周方向に液体を塗布する構成を採用する場合、たとえば、円柱状物の回転速度を制御することによって、液体を気化させて放出させる量を制御することができる。また、たとえば気化させて放出させる量が少ない場合には、所望の放出量に応じて円柱状物の回転数を増やすなど、円柱状物の回転数を制御することによっても、液体を気化させて放出させる量を制御することができる。
【００２５】
また図３は、図１および図２に示した例の気化装置１を用いた、気化量を制御するための方法の一例を模式的に示す図である。本発明の気化装置１では、図１および図２に示した例のように塗布用部材５が円柱状物で実現される場合、円柱状物の軸線方向に関する液体吸収部材の位置が、円柱状物の外周面の円周方向に関する液体吸収部材の位置の変位に応じて変位可能であることが好ましい。
【００２６】
図３（ａ）〜（ｃ）には、容器２を固定した状態で、塗布用部材５を回転させ、その外周に円周方向に沿って液体を塗布していく（液体吸収部材４の円柱状物の外周面の円周方向に関する位置が変位する）のに応じて、液体吸収部材４の円柱状物の軸線方向Ｘに関する位置を変位させている様子を段階的に示している。すなわち、図３（ａ）では、液体吸収部材４は円柱状物の軸線方向一方Ｘ１側の端部付近に位置しているのに対し、図３（ｂ）では液体吸収部材４は円柱状物の軸線方向に関する中央付近に位置し、図３（ｃ）では液体吸収部材４は円柱状物の軸線方向他方Ｘ２側の端部付近に位置するように変位している。
【００２７】
このように、塗布用部材５である円柱状物の軸線方向に関する液体吸収部材の位置を、円柱状物の外周面の円周方向に関する液体吸収部材の位置の変位に応じて変位させるように構成することで、塗布面積を大きく確保することができ、また気化による放出量を容易に制御することができるようになる。さらに、図３（ａ）に示す状態から図３（ｂ）、図３（ｃ）に示す状態にまで上記位置を変位させた後、図３（ｂ）に示す状態を経て図３（ａ）に示す状態にまで戻すことを適宜繰り返す（すなわち、２度塗り、３度塗り、…を行う）ことで、気化により放出させる量を増加させることができる。なお、塗布用部材の塗布面を有効に利用し得る観点からは、液体吸収部材４は、円柱状物が１回転するごとに、円柱状物の軸線方向に関する位置を変位させるように構成されることが好ましい。
【００２８】
なお、図３（ａ）〜図３（ｃ）には、容器２を固定した状態で、塗布用部材４の前記軸線方向に関する位置を変位させるように塗布用部材５を動かした例を示したが、塗布用部材５を固定した状態で、たとえば容器２を回転軸と平行に動かすことによって、円柱状物の軸線方向に関する液体吸収部材の位置を、円柱状物の外周面の円周方向に関する液体吸収部材の位置の変位に応じて変位させるようにしてもよい。また、これらを組み合わせ両者を動かすことによって、円柱状物の軸線方向に関する液体吸収部材の位置が、円柱状物の外周面の円周方向に関する液体吸収部材の位置の変位に応じて変位するようにしても勿論よい。
【００２９】
上述したようにたとえば円柱状物で実現される塗布用部材５は、その材質については特に制限されるものではなく、たとえばフェルト、紙、樹脂などを形成材料として挙げることができる。中でも、液体を一時保持し得、空気と接触する表面積の多いフェルトにて塗布用部材５を形成することが好ましい。
【００３０】
図４は、本発明の好ましい第２の態様の気化装置１１を模式的に示す正面図である。なお、図４に示す例の気化装置１１は、図１および図２に示した第１の態様の気化装置１と一部を除いて同様の構成を有しており、同様の構成を有する部分については同一の参照符を付して説明を省略する。
【００３１】
本発明の気化装置では、塗布用部材は、上述した円柱状物以外に、図４および図５に示す例の塗布用部材１２のように円盤状物にて実現されてもよい。塗布用部材１２が円盤状物である場合、図５に示すように、円盤状物の主面を塗布面として用い、この主面に円周方向に液体を塗布し、気化させるように構成する。すなわち、図４に示すように、円盤状物である塗布用部材１２の中心軸線に沿って設けられた回転軸１６とモータ１７とを備え、モータ１７の駆動により塗布用部材１２を回転軸１６を中心に回転し得るように構成する。このような構成にて、液体吸収部材４を介した毛細管現象により抽出された液体を、円盤状物の塗布用部材１２の主面に、円周方向に沿って順次塗布させ、気化させることができる。図５に示す例では、円周方向の一例として反時計周りの方向Ｓを示しているが、円周方向が当該方向Ｓとは反対の時計周りの方向であっても勿論よい。
【００３２】
図４に示すように、塗布用部材１２を円盤状物で実現し、この円盤状物の主面を塗布面として用いて円周方向に液体を塗布する構成を採用する場合、たとえば、円盤状物の回転速度を制御することによって、液体を気化させて放出させる量を制御することができる。また、たとえば気化させて放出させる量が少ない場合には、所望の放出量に応じて円盤状物の回転数を増やすなど、円盤状物の回転数を制御することによっても、液体を気化させて放出させる量を制御することができる。なお、塗布用部材１２を円盤状物にて実現する場合、当該円盤状物は、塗布した液体が円盤状物外に垂れてしまうことを防止するため、中心に凹状となるように形成されることが好ましい。
【００３３】
また図６は、図４に示した例の気化装置１１を用いた、気化量を制御するための方法の一例を模式的に示す図である。本発明の気化装置１１では、図４に示した例のように塗布用部材１２が円盤状物で実現される場合、円盤状物の径方向に関する液体吸収部材の位置が、円盤状物の主面の円周方向に関する液体吸収部材の位置の変位に応じて変位可能であることが好ましい。
【００３４】
図６（ａ）〜（ｃ）には、容器２を固定した状態で、塗布用部材１２を回転させ、その主面に円周方向に沿って液体を塗布していく（液体吸収部材４の円盤状物の主面の円周方向に関する位置が変位する）のに応じて、液体吸収部材４の円盤状物の径方向Ｙに関する位置を変位させている様子を段階的に示している。すなわち、図６（ａ）では、液体吸収部材４は円盤状物の径方向一方Ｙ１側の端部（円盤状物の径方向端部）付近に位置しているのに対し、図６（ｂ）では液体吸収部材４は円柱状物の径方向に関する中央付近（円盤状物の径方向端部と中心部との中間付近）に位置し、図６（ｃ）では液体吸収部材４は円盤状物のより径方向他方Ｙ２側付近（円盤状物の中心部付近）に位置するように変位している。
【００３５】
このように、塗布用部材１２である円盤状物の径方向に関する液体吸収部材の位置を、円盤状物の主面の円周方向に関する液体吸収部材の位置の変位に応じて変位させるように構成することで、塗布面積を大きく確保することができ、また気化による放出量を容易に制御することができるようになる。さらに、図６（ａ）に示す状態から図６（ｂ）、図６（ｃ）に示す状態にまで上記位置を変位させた後、図６（ｂ）に示す状態を経て図６（ａ）に示す状態にまで戻すことを適宜繰り返す（すなわち、２度塗り、３度塗り、…を行う）ことで、気化により放出させる量を増加させることができる。なお、塗布用部材の塗布面を有効に利用し得る観点からは、液体吸収部材４は、円盤状物が１回転するごとに、円盤状物の径方向に関する位置を変位させるように構成されることが好ましい。
【００３６】
なお、図６（ａ）〜図６（ｃ）には、容器２を固定した状態で、塗布用部材４の前記径方向に関する位置を変位させるように塗布用部材１２を動かした例を示したが、塗布用部材１２を固定した状態で、たとえば容器２を径方向に動かすことによって、円盤状物の径方向に関する液体吸収部材の位置を、円盤状物の主面の円周方向に関する液体吸収部材の位置の変位に応じて変位させるようにしてもよい。また、これらを組み合わせ両者を動かすことによって、円盤状物の径方向に関する液体吸収部材の位置が、円盤状物の主面の円周方向に関する液体吸収部材の位置の変位に応じて変位するようにしても勿論よい。
【００３７】
また図７は、本発明の好ましい第３の実施態様の気化装置２１を模式的に示す図である。なお、図７に示す例の気化装置２１は、図１に示した第１の実施態様の気化装置１と一部を除いて同様の構造を有しており、同様の構造を有する部分については同一の参照符を付して説明を省略する。本発明の気化装置は、互いに異なる液体を収容した複数本の容器を備えた構成であってもよい。図７には、たとえば互いに異なる液体を収容した２本の容器２２ａ，２２ｂを用いた例を示している。
【００３８】
図７に示す例では、２本の容器２２ａ，２２ｂは、上述と同様に、容器本体２３ａ，２３ｂ内を実質的に液密に保持するように容器本体２３ａ，２３ｂの開口に液体吸収部材２４ａ，２４ｂが設けられてなる構成を備え、容器２２ａ，２２ｂ内の液体は、液体吸収部材２４ａ，２４ｂを介した毛細管現象により、それぞれ容器内から容器外に抽出される。図７には、このようにしてそれぞれ抽出された液体を、図１に示した例のように円柱状物に形成された塗布用部材の外周面に円周方向に塗布することで気化させる例を示している。勿論、塗布用部材として図４に示したような円盤状物に形成されたものを用いてもよい。このように本発明の気化装置は、複数種の液体を別個に塗布用部材に塗布して気化させるようにしてもよい。
【００３９】
本発明の気化装置１，１１，２１は、装置自体の保護および外観の意匠性の観点から、通常、上述した容器２および塗布用部材５，１２，２５を収容するためのハウジング８，１８，２８を備える。ハウジング８，１８，２８は、塗布され気化された気体を放出し得るように、外部空間と連通するように構成されるのであれば、特に制限されるものではなく、従来公知の適宜の材料を用い、所望の形状に形成されたものを適宜用いることができる。
【００４０】
なお、図１〜図３には、容器２を開口が下側になるように設け、当該容器２の下側で液体吸収部材４が接触し得る位置に塗布用部材５の塗布面が配置されるような位置関係で設けられた例を示したが、この位置関係は単なる例示であって、図１〜図３に示した位置関係に制限されるものではない。すなわち、液体吸収部材４が接触し得る位置に塗布用部材５の塗布面が配置されるのであれば、容器２と塗布用部材５との位置関係は上下逆であってもよく、また、横方向に並んで設けられていてもよい。
【００４１】
また本発明の気化装置１では、液体吸収部材４による毛細管現象により抽出された液体を塗布用部材５に確実に塗布するため、液体吸収部材４が塗布用部材５の塗布面に押圧されて接触し得るように構成されていることが、好ましい。たとえば、図１〜図３では、液体吸収部材４が塗布用部材５の塗布面に押圧されて接触し得るように、容器２の底部とハウジング８，１８，２８との間に付勢手段９が設けられた例を示している。付勢手段９としては、たとえば、バネ、ゴムなどの従来公知の適宜の弾性体を用いることができる。
【００４２】
本発明の気化装置を用いて気化し放出する液体としては、特に制限されるものではないが、好適なものとして芳香剤溶液、殺虫剤を含む薬剤溶液または水を挙げることができる。液体として水を用いる場合、本発明の気化装置は、加湿器として好適に適用できる。
【００４３】
本発明における液体として用いることができる芳香剤溶液としては、特に制限されるものではなく、従来公知の適宜の芳香剤溶液を好適に適用することができる。なお、本発明の気化装置では、上述したように、気化温度の異なる複数種の芳香成分を含む芳香剤溶液を用いた場合であっても、芳香の質が経時的に変化してしまうことなく、芳香の量を制御しながら放出できるものであるため、特に好適である。
【００４４】
また本発明における液体として用いることができる薬剤溶液としても特に制限されるものではなく、薬剤には殺虫剤以外に殺菌剤などが包含され、従来公知の適宜の薬剤を好適に適用することができる。
【図面の簡単な説明】
【００４５】
【図１】本発明の第１の実施態様の気化装置１を模式的に示す正面図である。
【図２】図１に示す気化装置１の側面図である。
【図３】図１および図２に示した気化装置１を用いた、気化量を制御するための方法の一例を模式的に示す図である。
【図４】本発明の第２の実施態様の気化装置１１を模式的に示す正面図である。
【図５】図４に示した例の気化装置１１の上側からみた液体吸収部材４と塗布用部材１２との位置関係を模式的に示す図である。
【図６】図４に示した気化装置１１を用いた、気化量を制御するための方法の一例を模式的に示す図である。
【図７】本発明の第３の実施態様の気化装置２１を模式的に示す正面図である。
【図８】従来の典型的な一例の芳香剤発生装置３１を模式的に示す図である。
【符号の説明】
【００４６】
１，１１，２１  気化装置、２，２２ａ，２２ｂ  容器、３，２３ａ，２３ｂ  容器本体、４，２４ａ，２４ｂ  液体吸収部材、５，１２，２５  塗布用部材、６，１３  回転軸、７，１４  モータ、８  ハウジング、９  付勢手段。
【図１】
2007236542.tif 000003
【図２】
2007236542.tif 000004
【図３】
2007236542.tif 000005
【図４】
2007236542.tif 000006
【図５】
2007236542.tif 000007
【図６】
2007236542.tif 000008
【図７】
2007236542.tif 000009
【図８】
2007236542.tif 000010